(57)【要約】【課題】表示部の視認性低下を防ぎ、かつ、必要性の高い情報を適切に通知する。【解決手段】複数のバッテリーの中から選択したバッテリーを充電可能であり、かつ、前記複数のバッテリーの中から選択したバッテリーを給電元として駆動可能である電子機器であって、制御部と、表示部と、を備え、前記制御部は、前記複数のバッテリーのうち、前記充電の対象または前記給電元として選択している第１バッテリーに該当しない第２バッテリーの残量が、所定のしきい値以上である場合に、前記第１バッテリーの残量と前記第２バッテリーの残量とのうち前記第１バッテリーの残量を前記表示部に表示させ、前記第２バッテリーの残量が前記しきい値未満である場合に、前記第１バッテリーの残量と前記第２バッテリーの残量とを前記表示部に表示させる。【選択図】図５
2020098124.tif 000002
【特許請求の範囲】
【請求項１】
複数のバッテリーの中から選択したバッテリーを充電可能であり、かつ、前記複数のバッテリーの中から選択したバッテリーを給電元として駆動可能である電子機器であって、
制御部と、表示部と、を備え、
前記制御部は、
前記複数のバッテリーのうち、前記充電の対象または前記給電元として選択している第１バッテリーに該当しない第２バッテリーの残量が、所定のしきい値以上である場合に、前記第１バッテリーの残量と前記第２バッテリーの残量とのうち前記第１バッテリーの残量を前記表示部に表示させ、
前記第２バッテリーの残量が前記しきい値未満である場合に、前記第１バッテリーの残量と前記第２バッテリーの残量とを前記表示部に表示させる、ことを特徴とする電子機器。
【請求項２】
前記制御部は、前記第２バッテリーの残量が前記しきい値未満である場合に、前記表示部の一部領域に前記第１バッテリーの残量と前記第２バッテリーの残量とを交互に表示させる、ことを特徴とする請求項１に記載の電子機器。
【請求項３】
前記制御部は、前記第２バッテリーの残量が前記しきい値未満である場合に、前記表示部の一部領域に前記第１バッテリーの残量と前記第２バッテリーの残量とを一部が重なった状態で表示させる、ことを特徴とする請求項１に記載の電子機器。
【請求項４】
前記制御部は、前記第２バッテリーの残量が前記しきい値未満である場合に、前記表示部の一部領域である第１領域に前記第１バッテリーの残量を表示させ、かつ、前記表示部の前記第１領域とは異なる一部領域であって他の情報を表示するための第２領域に前記第２バッテリーの残量を表示させる、ことを特徴とする請求項１に記載の電子機器。
【請求項５】
装置内に含んだ内蔵バッテリーと、前記装置に対して外付けされた外付けバッテリーとのうち選択したバッテリーを充電可能であり、かつ、前記内蔵バッテリーと前記外付けバッテリーとのうち選択したバッテリーを給電元として駆動可能である印刷装置であって、
制御部と、表示部と、を備え、
前記制御部は、
前記内蔵バッテリーと前記外付けバッテリーとのうち、前記充電の対象または前記給電元として選択している第１バッテリーに該当しない第２バッテリーの残量が、所定のしきい値以上である場合に、前記第１バッテリーの残量と前記第２バッテリーの残量とのうち前記第１バッテリーの残量を前記表示部に表示させ、
前記第２バッテリーの残量が前記しきい値未満である場合に、前記第１バッテリーの残量と前記第２バッテリーの残量とを前記表示部に表示させる、ことを特徴とする印刷装置。
【請求項６】
複数のバッテリーの中から選択したバッテリーを充電可能であり、かつ、前記複数のバッテリーの中から選択したバッテリーを給電元として駆動可能である電子機器が実行するバッテリー状態表示方法であって、
前記複数のバッテリーのうち、前記充電の対象または前記給電元として選択している第１バッテリーに該当しない第２バッテリーの残量が、所定のしきい値以上である場合に、前記第１バッテリーの残量と前記第２バッテリーの残量とのうち前記第１バッテリーの残量を表示部に表示させ、
前記第２バッテリーの残量が前記しきい値未満である場合に、前記第１バッテリーの残量と前記第２バッテリーの残量とを前記表示部に表示させる、ことを特徴とするバッテリー状態表示方法。
【請求項７】
複数のバッテリーの中から選択したバッテリーを充電可能であり、かつ、前記複数のバッテリーの中から選択したバッテリーを給電元として駆動可能である電子機器であって、
制御部と、表示部と、を備え、
前記制御部は、
前記複数のバッテリーのうち、前記充電の対象または前記給電元として選択している第１バッテリーに該当しない第２バッテリーが、所定の異常状態ではない場合は、前記第１バッテリーの残量を前記表示部に表示させ、
前記第２バッテリーが前記異常状態である場合は、前記第１バッテリーの残量と、前記第２バッテリーに関する警告と、を前記表示部に表示させる、ことを特徴とする電子機器。
【発明の詳細な説明】
【技術分野】
【０００１】
本発明は、電子機器、バッテリー状態表示方法および印刷装置に関する。
【背景技術】
【０００２】
複数の電池を搭載可能な情報処理装置であって、使用中の電池の残量を表示する第１の領域と、第１の領域に少なくとも一部が重なり複数の電池の総残量を表示する第２の領域とからなる画像を電池残量画像として表示部に表示させる情報処理装置が開示されている（特許文献１参照）。
【先行技術文献】
【特許文献】
【０００３】
【特許文献１】特開２０１４‐５５８１６号公報
【発明の概要】
【発明が解決しようとする課題】
【０００４】
電子機器が備える表示部においては、バッテリー残量以外にも種々の情報を表示する必要があり、また、表示部のサイズにも制限がある。そのため、電子機器が利用する複数のバッテリーの残量を表示部に常時表示することは却って表示部の見易さ（視認性）を低下させる可能性があった。一方で、ユーザーに対してバッテリーの状態を積極的に通知した方が適切な場合もある。すなわち、バッテリー残量の表示を含めた表示部の視認性を低下させず、必要性の高い情報はユーザーに通知することが求められていた。
【課題を解決するための手段】
【０００５】
複数のバッテリーの中から選択したバッテリーを充電可能であり、かつ、前記複数のバッテリーの中から選択したバッテリーを給電元として駆動可能である電子機器であって、制御部と、表示部と、を備え、前記制御部は、前記複数のバッテリーのうち、前記充電の対象または前記給電元として選択している第１バッテリーに該当しない第２バッテリーの残量が、所定のしきい値以上である場合に、前記第１バッテリーの残量と前記第２バッテリーの残量とのうち前記第１バッテリーの残量を前記表示部に表示させ、前記第２バッテリーの残量が前記しきい値未満である場合に、前記第１バッテリーの残量と前記第２バッテリーの残量とを前記表示部に表示させる。
【図面の簡単な説明】
【０００６】
【図１】電子機器の構成を簡易的に示すブロック図。
【図２】外部電源駆動モードにおける第１実施形態のバッテリー状態表示処理を示すフローチャート。
【図３】バッテリー駆動モードにおける第１実施形態のバッテリー状態表示処理を示すフローチャート。
【図４】バッテリーの状態に対応するアイコンの例を示す図。
【図５】第１例のＵＩ画面を示す図。
【図６】第２例のＵＩ画面を示す図。
【図７】第３例のＵＩ画面を示す図。
【図８】第４例のＵＩ画面を示す図。
【図９】外部電源駆動モードにおける第２実施形態のバッテリー状態表示処理を示すフローチャート。
【図１０】バッテリー駆動モードにおける第２実施形態のバッテリー状態表示処理を示すフローチャート。
【図１１】第５例のＵＩ画面を示す図。
【発明を実施するための形態】
【０００７】
以下、各図を参照しながら本発明の実施形態を説明する。なお各図は、本実施形態を説明するための例示に過ぎない。
【０００８】
１．電子機器の概略構成：
図１は、本実施形態にかかる電子機器１０の構成を簡易的に示している。電子機器１０は、例えば、モバイルタイプのプリンターやスキャナーといった製品であり、バッテリーから給電を受けて動作可能である。バッテリーを、蓄電池、充電式電池、二次電池、等とも呼ぶ。
【０００９】
電子機器１０は、電源入力ポート１１、内蔵バッテリー１２、バッテリー制御部１４、表示部１６、印刷処理部１７、通信インターフェイス１８を含んでいる。インターフェイスをＩＦと略す。印刷処理部１７を有する点で、電子機器１０はプリンターに該当する。プリンターを印刷装置１０とも呼ぶ。また、図１に示すように、電子機器１０は、オプション製品としての外付けバッテリー１３と接続可能である。
【００１０】
本実施形態において、電子機器１０が利用する複数のバッテリーは、全てが内蔵バッテリーであってもよいし、全てが外付けバッテリーであってもよい。また、電子機器１０が利用するバッテリーの数は二つより多くてもよい。以下では、電子機器１０は、内蔵バッテリー１２および外付けバッテリー１３という二つのバッテリーを利用する機器であるとして説明を行う。
【００１１】
電源入力ポート１１は、外部電源からの電力供給を受け入れるための端子である。例えば、電源入力ポート１１には、外部のＡＣ電源から電力を供給するためのＡＣ電源ケーブルが接続される。
【００１２】
バッテリー制御部１４は、例えば、ＣＰＵ、ＲＯＭ、ＲＡＭ等を有する一つ以上のＩＣや、その他のメモリーや電子回路を含んで構成される。バッテリー制御部１４においては、ハードウェアによって、あるいはハードウェアとプログラムとの協働によって、後述するバッテリー状態表示処理等を実現する。また、バッテリー制御部１４は、機能の一つとして、外付けバッテリー１３の認証処理を行う認証部１５を有する。バッテリー制御部１４は、ＡＳＩＣ（Application Specific Integrated Circuit）により構成されていてもよい。
【００１３】
表示部１６は、視覚的情報を表示するための表示装置であり、例えば、ＬＣＤ（Liquid Crystal Display）である。表示部１６は、ユーザーからの操作を受け付けるためのタッチパネルとしても機能する。従って、表示部１６を、電子機器１０の操作パネルと呼んでもよい。通信ＩＦ１８は、電子機器１０が公知の通信規格を含む所定の通信プロトコルに準拠して有線又は無線で外部と通信を実行するための一つまたは複数のＩＦの総称である。
【００１４】
印刷処理部１７は、通信ＩＦ１８を介して外部から取得した印刷データに基づく印刷を印刷媒体に対して実行する機構である。印刷処理部１７は、知られているように、用紙等の印刷媒体に対してインクやトナーといった色材を付着させて印刷を行う。なお、電子機器１０がスキャナーであれば、電子機器１０は、原稿の読み取りに必要な光源や光学系や撮像素子等の構成を有する。
【００１５】
２．バッテリー制御処理：
バッテリー制御部１４による「バッテリー制御処理」を説明する。バッテリー制御処理とは、複数のバッテリーの中から選択したバッテリーを充電する処理や、複数のバッテリーの中から選択したバッテリーを給電元とする処理である。
【００１６】
バッテリー制御部１４は、電源入力ポート１１に対して外部から電力の入力が有るか否かに応じて電子機器１０の状態を「外部電源駆動モード」と「バッテリー駆動モード」とのいずれかに切り替える。つまり、バッテリー制御部１４は、電源入力ポート１１に対して外部から電力の入力が有る場合には、外部電源駆動モードを採用し、電源入力ポート１１に対して外部から電力の入力が無い場合には、バッテリー駆動モードを採用する。
【００１７】
外部電源駆動モードにおいては、バッテリー制御部１４は、電源入力ポート１１から入力する電力を電子機器１０の各部へ供給することによって、電子機器１０が駆動する状態とする。併せて、外部電源駆動モードにおいては、バッテリー制御部１４は、内蔵バッテリー１２と外付けバッテリー１３とを所定の「充電優先ポリシー」に従って充電対象として選択し、選択したバッテリーを電源入力ポート１１から入力する電力により充電する。
【００１８】
バッテリー駆動モードにおいては、バッテリー制御部１４は、内蔵バッテリー１２と外付けバッテリー１３とのいずれかを所定の「給電元優先ポリシー」に従って給電元に選択し、選択したバッテリーを放電させる。つまり、バッテリー制御部１４は、給電元に選択したバッテリーから供給される電力によって電子機器１０が駆動する状態とする。
【００１９】
充電優先ポリシーによれば、バッテリー制御部１４は、電子機器１０に対して外付けバッテリー１３が接続されていれば、内蔵バッテリー１２よりも外付けバッテリー１３を優先して充電対象とする。バッテリー制御部１４は、電子機器１０に対して外付けバッテリー１３が接続されていない場合、あるいは、電子機器１０に接続している外付けバッテリー１３が満充電状態である場合に、内蔵バッテリー１２を充電対象とする。
【００２０】
ただし、充電優先ポリシーは、上述の内容に限定されない。例えば、充電優先ポリシーは、内蔵バッテリー１２の残量が「ニアエンド」未満である場合は、電子機器１０に外付けバッテリー１３が接続されていたとしても、内蔵バッテリー１２を優先して充電対象とするとしてもよい。また、例えば、充電優先ポリシーは、電子機器１０に外付けバッテリー１３が接続されていたとしても、外付けバッテリー１３の残量がニアエンド以上かつ内蔵バッテリー１２の残量がニアエンド未満である場合は、内蔵バッテリー１２を優先して充電対象とするとしてもよい。外付けバッテリー１３よりも内蔵バッテリー１２を優先して充電対象とした場合、バッテリー制御部１４は、内蔵バッテリー１２の残量が「ニアフル」以上あるいは満充電状態となった場合に、外付けバッテリー１３を充電対象とする。なお、ニアエンドとは、バッテリーのエンド（残量０％）に近い所定の充電率に相当する残量である。また、ニアフルとは、バッテリーの満充電状態に近い所定の充電率に相当する残量である。
【００２１】
給電元優先ポリシーによれば、バッテリー制御部１４は、電子機器１０に対して外付けバッテリー１３が接続されていれば、内蔵バッテリー１２よりも外付けバッテリー１３を優先して給電元とする。バッテリー制御部１４は、電子機器１０に対して外付けバッテリー１３が接続されていない場合、または、電子機器１０に接続している外付けバッテリー１３の残量がニアエンド未満あるいはエンドである場合に、内蔵バッテリー１２を給電元とする。
【００２２】
むろん、バッテリー制御部１４は、複数のバッテリーをそれぞれ監視することにより、各バッテリーの残量を随時取得可能である。バッテリー制御部１４は、例えば、内蔵バッテリー１２、外付けバッテリー１３それぞれの電圧を検出し、検出した各電圧に基づいて、内蔵バッテリー１２、外付けバッテリー１３それぞれの残量を推定することが可能である。バッテリーの残量は、バッテリーの満充電状態を１００％としたときの現在の充電率により示すことができる。バッテリーの残量の推定方法（取得方法）は、公知の方法を含めて種々の方法を採用可能である。
【００２３】
３．バッテリー状態表示処理：
次に、バッテリー制御部１４が実行する「バッテリー状態表示処理」を説明する。バッテリー制御部１４は、上述のバッテリー制御処理と並行してバッテリー状態表示処理を実行する。バッテリー状態表示処理は、バッテリー状態表示方法に該当する。
【００２４】
図２は、バッテリー制御部１４が外部電源駆動モードにおいて実行するバッテリー状態表示処理を、フローチャートにより示している。
ステップＳ１００では、バッテリー制御部１４は、電子機器１０に対して外付けバッテリー１３が接続されているか否かを判定する。つまり、外付けバッテリー１３の有無を判定する。バッテリー制御部１４は、外付けバッテリー１３有りと判定した場合は（ステップＳ１００において“Ｙｅｓ”）、ステップＳ１１０へ進み、外付けバッテリー１３無しと判定した場合は（ステップＳ１００において“Ｎｏ”）、ステップＳ１７０へ進む。
【００２５】
ステップＳ１１０では、バッテリー制御部１４は、充電優先ポリシーに従って現在の充電対象に選択しているバッテリーが、外付けバッテリー１３であるか否かを判定する。バッテリー制御部１４は、外付けバッテリー１３を充電対象として充電していれば、ステップＳ１１０の“Ｙｅｓ”の判定からステップＳ１２０へ進み、一方、内蔵バッテリー１２を充電対象として充電していれば、ステップＳ１１０の“Ｎｏ”の判定からステップＳ１３０へ進む。
【００２６】
ステップＳ１１０で“Ｙｅｓ”の判定をした場合は、外付けバッテリー１３が、複数のバッテリーのうち充電の対象または給電元として選択している「第１バッテリー」であり、内蔵バッテリー１２が第１バッテリーに該当しない「第２バッテリー」である。一方、ステップＳ１１０で“Ｎｏ”の判定をした場合は、内蔵バッテリー１２が「第１バッテリー」であり、外付けバッテリー１３が「第２バッテリー」である。
【００２７】
ステップＳ１２０では、バッテリー制御部１４は、内蔵バッテリー１２の残量が所定のしきい値未満であるか否かを判定する。バッテリー制御部１４は、内蔵バッテリー１２の残量が所定のしきい値未満であれば（ステップＳ１２０において“Ｙｅｓ”）、ステップＳ１４０へ進み、内蔵バッテリー１２の残量が所定のしきい値以上であれば（ステップＳ１２０において“Ｎｏ”）、ステップＳ１５０へ進む。ステップＳ１２０や後述のステップＳ１３０，Ｓ２２０，Ｓ２３０の判定に用いるしきい値は、第２バッテリーの残量が残り少ないことを示す所定値であればよく、例えば、ニアエンドである。
【００２８】
ステップＳ１４０では、バッテリー制御部１４は、第１バッテリー、第２バッテリーのそれぞれについてバッテリーの状態を表示部１６に表示させる。つまり、バッテリー制御部１４は、第１バッテリーである外付けバッテリー１３の残量と、第２バッテリーである内蔵バッテリー１２の残量とを、表示部１６に表示させる。
【００２９】
図４は、内蔵バッテリー１２、外付けバッテリー１３それぞれの状態を表すアイコンと各アイコンの意味との関係を例示している。図４の例によれば、内蔵バッテリー１２のアイコン３０および外付けバッテリー１３のアイコン４０はいずれも、電池を模した外形のイラストであり、イラスト内の矩形の数や色等で残量の程度（残量レベル）を示している。図４の例によれば、アイコン３０，４０はそれぞれ、残量が最も多い残量レベル３、残量レベル３の次に残量が多い残量レベル２、残量レベル２の次に残量が多い残量レベル１、残量が最も少ない残量レベル僅少、に分類されている。
【００３０】
図４の例によれば、残量レベル３は前記矩形の数が３、残量レベル２は前記矩形の数が２、残量レベル１は前記矩形の数が１、とされている。残量レベル僅少は、前記矩形の数が１でありかつ前記矩形の色が他の残量レベルとは異なっている。満充電状態を１００％としたとき、例えば、残量レベル３は６０％以上の残量を示し、残量レベル２は６０％未満かつ２０％以上の残量を示し、残量レベル１は２０％未満かつ５％以上の残量を示し、残量レベル僅少は５％未満の残量を示す。また、残量レベル僅少は、ニアエンド未満の残量に相当するとしてもよい。
【００３１】
また、図４の例によれば、アイコン３０，４０はいずれも、充電中であれば、充電中であることを意味する稲妻を模したイラストがさらに重畳された状態となる。また、図４の例によれば、アイコン３０と比較してアイコン４０は大きい。これは、外付けバッテリー１３は、内蔵バッテリー１２よりも容量が多いバッテリーだからである。つまり、ユーザーは、アイコン３０，４０の大きさの違いから、アイコン３０，４０がそれぞれ内蔵バッテリー１２、外付けバッテリー１３のどちらを示すものであるかを直感的に認識する。
【００３２】
また、図４の例によれば、アイコン３０は、温度異常等を意味する形態を採ることもある。また、アイコン４０は、温度異常等を意味する形態や、認証不可を意味する形態を採ることもある。これら温度異常等や認証不可のアイコンについては、図９〜１１に関連して後に説明する。
【００３３】
ステップＳ１４０では、バッテリー制御部１４は、図４に例示したような外付けバッテリー１３のアイコン４０のうち、充電中の外付けバッテリー１３の残量に相当するいずれかのアイコン４０を表示部１６に表示させる。また、ステップＳ１４０では、バッテリー制御部１４は、図４に例示したような内蔵バッテリー１２のアイコン３０のうち、充電中ではない内蔵バッテリー１２の残量に相当するいずれかのアイコン３０、例えば残量レベル僅少に相当するアイコン３０を、表示部１６に表示させる。
【００３４】
ステップＳ１５０では、バッテリー制御部１４は、第１バッテリーについてバッテリーの状態を表示部１６に表示させる。つまり、バッテリー制御部１４は、第１バッテリーである外付けバッテリー１３の残量を表示部１６に表示させる。この場合、バッテリー制御部１４は、図４に例示したような外付けバッテリー１３のアイコン４０のうち、充電中の外付けバッテリー１３の残量に相当するいずれかのアイコン４０を表示部１６に表示させる。ステップＳ１５０では、バッテリー制御部１４は、第２バッテリーについては、その残量を表示部１６に表示させない。
【００３５】
ステップＳ１３０では、バッテリー制御部１４は、外付けバッテリー１３の残量が所定のしきい値未満であるか否かを判定する。バッテリー制御部１４は、外付けバッテリー１３の残量が所定のしきい値未満であれば（ステップＳ１３０において“Ｙｅｓ”）、ステップＳ１６０へ進み、外付けバッテリー１３の残量が所定のしきい値以上であれば（ステップＳ１３０において“Ｎｏ”）、ステップＳ１７０へ進む。
【００３６】
ステップＳ１６０では、バッテリー制御部１４は、第１バッテリー、第２バッテリーのそれぞれについてバッテリーの状態を表示部１６に表示させる。つまり、バッテリー制御部１４は、第１バッテリーである内蔵バッテリー１２の残量と、第２バッテリーである外付けバッテリー１３の残量とを、表示部１６に表示させる。この場合、バッテリー制御部１４は、図４に例示したような内蔵バッテリー１２のアイコン３０のうち、充電中の内蔵バッテリー１２の残量に相当するいずれかのアイコン３０を表示部１６に表示させる。また、バッテリー制御部１４は、図４に例示したような外付けバッテリー１３のアイコン４０のうち、充電中ではない外付けバッテリー１３の残量に相当するいずれかのアイコン４０、例えば残量レベル僅少に相当するアイコン４０を、表示部１６に表示させる。
【００３７】
ステップＳ１７０では、バッテリー制御部１４は、第１バッテリーについてバッテリーの状態を表示部１６に表示させる。つまり、バッテリー制御部１４は、第１バッテリーである内蔵バッテリー１２の残量を表示部１６に表示させる。この場合、バッテリー制御部１４は、図４に例示したような内蔵バッテリー１２のアイコン３０のうち、充電中の内蔵バッテリー１２の残量に相当するいずれかのアイコン３０を表示部１６に表示させる。ステップＳ１７０では、バッテリー制御部１４は、第２バッテリーについては、その残量を表示部１６に表示させない。
【００３８】
ステップＳ１４０，Ｓ１５０，Ｓ１６０，Ｓ１７０それぞれの後は、バッテリー制御部１４は、ステップＳ１００の判定を再び行う。つまり、外部電源駆動モードにおいては、ステップＳ１００，Ｓ１１０，Ｓ１２０，Ｓ１３０の各判定の結果に応じてステップＳ１４０，Ｓ１５０，Ｓ１６０，Ｓ１７０のいずれかが実行されることが、繰り返される。これにより、内蔵バッテリー１２や外付けバッテリー１３の状態に応じて、表示部１６におけるバッテリー残量の表示内容が維持されたり変更されたりする。
【００３９】
図３は、バッテリー制御部１４がバッテリー駆動モードにおいて実行するバッテリー状態表示処理を、フローチャートにより示している。
ステップＳ２００では、バッテリー制御部１４は、ステップＳ１００と同様に、外付けバッテリー１３の有無を判定する。バッテリー制御部１４は、外付けバッテリー１３有りと判定した場合は（ステップＳ２００において“Ｙｅｓ”）、ステップＳ２１０へ進み、外付けバッテリー１３無しと判定した場合は（ステップＳ２００において“Ｎｏ”）、ステップＳ２７０へ進む。
【００４０】
ステップＳ２１０では、バッテリー制御部１４は、給電元優先ポリシーに従って現在の給電元として選択しているバッテリーが、外付けバッテリー１３であるか否かを判定する。バッテリー制御部１４は、外付けバッテリー１３を給電元としていれば、ステップＳ２１０の“Ｙｅｓ”の判定からステップＳ２２０へ進み、一方、内蔵バッテリー１２を給電元としていれば、ステップＳ２１０の“Ｎｏ”の判定からステップＳ２３０へ進む。
【００４１】
ステップＳ２１０で“Ｙｅｓ”の判定をした場合は、外付けバッテリー１３が「第１バッテリー」であり、内蔵バッテリー１２が「第２バッテリー」である。一方、ステップＳ２１０で“Ｎｏ”の判定をした場合は、内蔵バッテリー１２が「第１バッテリー」であり、外付けバッテリー１３が「第２バッテリー」である。
【００４２】
ステップＳ２２０では、バッテリー制御部１４は、ステップＳ１２０と同様に、内蔵バッテリー１２の残量が所定のしきい値未満であるか否かを判定する。バッテリー制御部１４は、内蔵バッテリー１２の残量が所定のしきい値未満であれば（ステップＳ２２０において“Ｙｅｓ”）、ステップＳ２４０へ進み、内蔵バッテリー１２の残量が所定のしきい値以上であれば（ステップＳ２２０において“Ｎｏ”）、ステップＳ２５０へ進む。
【００４３】
ステップＳ２４０では、バッテリー制御部１４は、第１バッテリー、第２バッテリーのそれぞれについてバッテリーの状態を表示部１６に表示させる。つまり、バッテリー制御部１４は、第１バッテリーである外付けバッテリー１３の残量と、第２バッテリーである内蔵バッテリー１２の残量とを、表示部１６に表示させる。この場合、バッテリー制御部１４は、図４に例示したような外付けバッテリー１３のアイコン４０のうち、充電中でない外付けバッテリー１３の残量に相当するいずれかのアイコン４０を表示部１６に表示させる。また、バッテリー制御部１４は、図４に例示したような内蔵バッテリー１２のアイコン３０のうち、充電中ではない内蔵バッテリー１２の残量に相当するいずれかのアイコン３０、例えば残量レベル僅少に相当するアイコン３０を、表示部１６に表示させる。
【００４４】
ステップＳ２５０では、バッテリー制御部１４は、第１バッテリーについてバッテリーの状態を表示部１６に表示させる。つまり、バッテリー制御部１４は、第１バッテリーである外付けバッテリー１３の残量を表示部１６に表示させる。この場合、バッテリー制御部１４は、図４に例示したような外付けバッテリー１３のアイコン４０のうち、充電中でない外付けバッテリー１３の残量に相当するいずれかのアイコン４０を表示部１６に表示させる。ステップＳ２５０では、バッテリー制御部１４は、第２バッテリーについては、その残量を表示部１６に表示させない。
【００４５】
ステップＳ２３０では、バッテリー制御部１４は、ステップＳ１３０と同様に、外付けバッテリー１３の残量が所定のしきい値未満であるか否かを判定する。バッテリー制御部１４は、外付けバッテリー１３の残量が所定のしきい値未満であれば（ステップＳ２３０において“Ｙｅｓ”）、ステップＳ２６０へ進み、外付けバッテリー１３の残量が所定のしきい値以上であれば（ステップＳ２３０において“Ｎｏ”）、ステップＳ２７０へ進む。
【００４６】
ステップＳ２６０では、バッテリー制御部１４は、第１バッテリー、第２バッテリーのそれぞれについてバッテリーの状態を表示部１６に表示させる。つまり、バッテリー制御部１４は、第１バッテリーである内蔵バッテリー１２の残量と、第２バッテリーである外付けバッテリー１３の残量とを、表示部１６に表示させる。この場合、バッテリー制御部１４は、図４に例示したような内蔵バッテリー１２のアイコン３０のうち、充電中でない内蔵バッテリー１２の残量に相当するいずれかのアイコン３０を表示部１６に表示させる。また、バッテリー制御部１４は、図４に例示したような外付けバッテリー１３のアイコン４０のうち、充電中ではない外付けバッテリー１３の残量に相当するいずれかのアイコン４０、例えば残量レベル僅少に相当するアイコン４０を、表示部１６に表示させる。
【００４７】
ステップＳ２７０では、バッテリー制御部１４は、第１バッテリーについてバッテリーの状態を表示部１６に表示させる。つまり、バッテリー制御部１４は、第１バッテリーである内蔵バッテリー１２の残量を表示部１６に表示させる。この場合、バッテリー制御部１４は、図４に例示したような内蔵バッテリー１２のアイコン３０のうち、充電中でない内蔵バッテリー１２の残量に相当するいずれかのアイコン３０を表示部１６に表示させる。ステップＳ２７０では、バッテリー制御部１４は、第２バッテリーについては、その残量を表示部１６に表示させない。
【００４８】
上述の給電元優先ポリシーによれば、バッテリー制御部１４は、電子機器１０に外付けバッテリー１３が接続されている状況において、外付けバッテリー１３の残量がニアエンド未満あるいはエンドである場合に、内蔵バッテリー１２を給電元とする。そのため、上述の給電元優先ポリシーに従えば、ステップＳ２３０で“Ｎｏ”と判定することは起こり得ないと言える。よって、ステップＳ２１０の“Ｎｏ”の判定からは、直にステップＳ２６０へ進むとしてもよい。ただし、給電元優先ポリシーは上述の内容に限定されない。例えば、ユーザーが、外付けバッテリー１３よりも内蔵バッテリー１２を優先的に給電元とするように給電元優先ポリシーを変更すること等を想定すると、ステップＳ２３０の判定は無駄とは言えない。
【００４９】
ステップＳ２４０，Ｓ２５０，Ｓ２６０，Ｓ２７０それぞれの後は、バッテリー制御部１４は、ステップＳ２００の判定を再び行う。つまり、バッテリー駆動モードにおいては、ステップＳ２００，Ｓ２１０，Ｓ２２０，Ｓ２３０の各判定の結果に応じてステップＳ２４０，Ｓ２５０，Ｓ２６０，Ｓ２７０のいずれかが実行されることが、繰り返される。これにより、内蔵バッテリー１２や外付けバッテリー１３の状態に応じて、表示部１６におけるバッテリー残量の表示内容が維持されたり変更されたりする。
【００５０】
４．バッテリー状態表示処理による表示例：
図５は、バッテリー制御部１４が表示部１６に表示させるユーザーインターフェイス（ＵＩ）画面２０の第１例を示している。ＵＩ画面２０は、電子機器１０に関する各種情報を文字やイラスト等で表示し、かつ、ユーザーからの操作を受け付けるための画面である。例えば、ＵＩ画面２０は、印刷処理部１７における各色のインク残量の表示欄を含んでいる。また、ＵＩ画面２０は、ユーザーが、電子機器１０に対して任意の設定を行うためのメニュー表示欄２４を含んでいる。また、ＵＩ画面２０は、画面内の上端近傍に、各種アイコンを表示するための一部領域２１，２２，２３を含んでいる。一部領域２１，２２，２３の境目は必ずしも明確ではないが、これら一部領域２１，２２，２３のうち一部領域２１が、バッテリーの残量をアイコンで表示するために予め確保された領域である。
【００５１】
バッテリー状態表示処理において、バッテリー制御部１４は、第１バッテリーの残量を表示させる状況、つまりステップＳ１５０，Ｓ１７０，Ｓ２５０，Ｓ２７０では、一部領域２１に第１バッテリーの残量に相当するアイコンを表示させる。一方、第１バッテリーの残量および第２バッテリーの残量を表示させる状況、つまりステップＳ１４０，Ｓ１６０，Ｓ２４０，Ｓ２６０では、バッテリー制御部１４は、一部領域２１に第１バッテリーの残量と第２バッテリーの残量とを交互に表示させる、としてもよい。
【００５２】
具体例として、図５は、ステップＳ２６０によって、内蔵バッテリー１２の残量に相当するアイコン３０と外付けバッテリー１３の残量に相当するアイコン４０とが一部領域２１に交互に表示される様子を示している。ステップＳ１４０，Ｓ１６０，Ｓ２４０，Ｓ２６０においては、バッテリー制御部１４は、一部領域２１にアイコン３０とアイコン４０とを例えば５秒毎に切り替えて表示させる。
【００５３】
図６は、ＵＩ画面２０の第２例を示している。バッテリー状態表示処理において、バッテリー制御部１４は、第１バッテリーの残量および第２バッテリーの残量を表示させる状況では、一部領域２１に第１バッテリーの残量と第２バッテリーの残量とを一部が重なった状態で表示させる、としてもよい。具体例として、図６は、ステップＳ２６０によって一部領域２１に、内蔵バッテリー１２の残量に相当するアイコン３０と外付けバッテリー１３の残量に相当するアイコン４０とが互いの一部が重なった状態で表示される様子を示している。
【００５４】
図７は、ＵＩ画面２０の第３例を示している。バッテリー状態表示処理において、バッテリー制御部１４は、第１バッテリーの残量および第２バッテリーの残量を表示させる状況では、一部領域２１に第１バッテリーの残量を表示させ、かつ、一部領域２３に第２バッテリーの残量を表示させる、としてもよい。一部領域２１は、表示部１６の一部領域である第１領域に該当する。一部領域２３は、表示部１６の第１領域とは異なる一部領域であって他の情報を表示するための第２領域の例に該当する。
【００５５】
具体例として、図７は、ステップＳ２６０によって、一部領域２１に内蔵バッテリー１２の残量に相当するアイコン３０を表示し、かつ、一部領域２３に外付けバッテリー１３の残量に相当するアイコン４０を表示した様子を示している。図５，６を参照すると判るように、一部領域２３は本来、電波を表すイラストと文字「ＡＰ」とを組み合わせた、シンプルＡＰモードのアイコンを表示するための領域である。シンプルＡＰモードとは、電子機器１０自身が無線ＬＡＮ（Local Area Network）の規格の一つであるＷｉ‐Ｆｉ規格に対応したアクセスポイントとして機能するモードである。また、図５，６を参照すると判るように、一部領域２２は本来、電波を表すイラストによるＷｉ‐Ｆｉモードのアイコンを表示するための領域である。Ｗｉ‐Ｆｉモードとは、電子機器１０が外部のアクセスポイントを介したＷｉ‐Ｆｉ規格による無線通信を実行するモードである。
【００５６】
図７の例では、バッテリー制御部１４は、シンプルＡＰモードのアイコンを表示するための領域であった一部領域２３に、第２バッテリーとしての外付けバッテリー１３のアイコン４０を表示させている。また、バッテリー制御部１４は、一部領域２３を第２バッテリーのアイコンの表示に用いたことに連動して、一部領域２２に、シンプルＡＰモードのアイコンとＷｉ‐Ｆｉモードのアイコンとを、例えば５秒毎に切り替えて表示させる（図７参照）。このように、バッテリー制御部１４は、ステップＳ１４０，Ｓ１６０，Ｓ２４０，Ｓ２６０において、一部領域２１に第１バッテリーの残量を表示させ、一部領域２３に第２バッテリーの残量を表示させる場合に、併せて、一部領域２３に本来表示すべきアイコンを、他の一部領域２２において当該他の一部領域２２に本来表示すべきアイコンと交互に表示する。
【００５７】
バッテリー制御部１４は、図７の例のように、一部領域２３を第２バッテリーのアイコンの表示に用いるのは、メニュー表示欄２４において「無線ＬＡＮ設定」のメニューがユーザーにより選択されていない場合に限定してもよい。つまり、バッテリー制御部１４は、ステップＳ２６０等の第１バッテリーの残量および第２バッテリーの残量を表示させる状況であっても、メニュー表示欄２４において「無線ＬＡＮ設定」のメニューが選択されている間は、一部領域２１に第１バッテリーのアイコンを表示させ、一部領域２２，２３には本来表示すべきＷｉ‐ＦｉモードのアイコンとシンプルＡＰモードのアイコンとを表示させる。一方、バッテリー制御部１４は、ステップＳ２６０等の第１バッテリーの残量および第２バッテリーの残量を表示させる状況であって、メニュー表示欄２４において「無線ＬＡＮ設定」のメニューが選択されていない間は、図７の例ように、一部領域２１に第１バッテリーのアイコンを表示させ、一部領域２３に第２バッテリーのアイコンを表示させる。
【００５８】
図８は、ＵＩ画面２０の第４例を示している。図５〜７を用いて説明した第１〜３例では、バッテリーの残量をアイコンにより表示する。しかし、バッテリー残量の少なくとも一部の表示は、文字列つまりメッセージによる表示であってもよい。バッテリー状態表示処理において、バッテリー制御部１４は、第１バッテリーの残量および第２バッテリーの残量を表示させる状況では、第２バッテリーの残量をメッセージで表示させ、第１バッテリーの残量をアイコンにより表示させる、としてもよい。
【００５９】
具体例として、図８は、ステップＳ２６０において、ＵＩ画面２０内に第２バッテリーとしての外付けバッテリー１３の残量を説明するメッセージ２５「外付けバッテリーの残量が無くなったため、内蔵バッテリーで動作します。」を表示し、かつ一部領域２１に第１バッテリーとしての内蔵バッテリー１２の残量に相当するアイコン３０を表示した様子を示している。バッテリー制御部１４は、メッセージ２５を表示させた状態で、メッセージ消去のための所定操作をＵＩ画面２０を介して受けた場合に、メッセージ２５を消去し、メニュー表示欄２４等を含む内容のＵＩ画面２０に戻す。
【００６０】
５．異常状態表示を含むバッテリー状態表示処理：
これまでに説明したバッテリー状態表示処理や具体的な各表示例を、便宜上、第１実施形態と呼ぶ。
以下に、第２実施形態にかかるバッテリー状態表示処理を説明する。第２実施形態に関しては、これまでの説明と共通する内容は説明を適宜省略する。
【００６１】
第２実施形態の前提として、バッテリー制御部１４は、複数のバッテリーのそれぞれに対して所定の異常状態であるか否かの異常判定を実行する。異常判定とは、例えば、バッテリー温度に基づく判定である。バッテリー制御部１４は、内蔵バッテリー１２や外付けバッテリー１３といった各バッテリーのバッテリー温度を、各バッテリー近傍に配設された不図示の温度センサーから取得する。そして、取得したバッテリー温度が、予め設定したバッテリー温度の適切な数値範囲の外であるバッテリーについては、バッテリー温度が高すぎるあるいは低すぎる（温度異常である）、として異常状態と判定する。
【００６２】
また、異常判定とは、例えば、外付けバッテリー１３に対する安全性の認証である。バッテリー制御部１４の認証部１５は、電子機器１０に外付けバッテリー１３が接続されたことを検知したタイミングで外付けバッテリー１３に対する認証処理を行う。認証部１５は、外付けバッテリー１３が備えるＩＣチップ等から外付けバッテリー１３に関する各種情報を取得する。そして、認証部１５は、外付けバッテリー１３から取得した情報に、安全に動作することが保証された製品である旨を示す安全保証情報が含まれている場合に、外付けバッテリー１３を認証する。安全保証情報とは、例えば、予め定められた製品番号や特定の文字列である。認証部１５は、外付けバッテリー１３から取得した情報に、安全保証情報が含まれていない場合に、外付けバッテリー１３を認証しない。バッテリー制御部１４は、認証部１５によって認証されなかった外付けバッテリー１３を、異常状態と判定する。
【００６３】
バッテリー制御部１４は、バッテリー制御処理において、充電優先ポリシーに従って充電対象のバッテリーを選択したり、給電元優先ポリシーに従って給電元のバッテリーを選択したりする場合に、上述のように異常状態と判定したバッテリーについては、選択肢から除外する。なお、バッテリー制御部１４が認識するバッテリーの全てが異常状態であることも可能性としては有り得るが、そのような場合は重大なエラーであり、電子機器１０は重大なエラーに対応するための所定の措置を別途採る。第２実施形態は、バッテリー制御部１４が認識するバッテリーのうち一つ以上のバッテリーが異常状態でない場面を想定して説明を行う。
【００６４】
図９は、バッテリー制御部１４が外部電源駆動モードにおいて実行する第２実施形態のバッテリー状態表示処理を、フローチャートにより示している。
ステップＳ３００では、バッテリー制御部１４は、ステップＳ１００と同様に、外付けバッテリー１３の有無を判定する。バッテリー制御部１４は、外付けバッテリー１３有りと判定した場合は（ステップＳ３００において“Ｙｅｓ”）、ステップＳ３１０へ進み、外付けバッテリー１３無しと判定した場合は（ステップＳ３００において“Ｎｏ”）、ステップＳ３７０へ進む。
【００６５】
ステップＳ３１０では、バッテリー制御部１４は、充電優先ポリシーに従って現在の充電対象として選択しているバッテリーが、外付けバッテリー１３であるか否かを判定する。バッテリー制御部１４は、外付けバッテリー１３を充電対象としていれば、ステップＳ３１０の“Ｙｅｓ”の判定からステップＳ３２０へ進み、一方、内蔵バッテリー１２を充電対象としていれば、ステップＳ３１０の“Ｎｏ”の判定からステップＳ３３０へ進む。
【００６６】
ステップＳ３２０では、バッテリー制御部１４は、内蔵バッテリー１２が異常状態であるか否かを判定する。バッテリー制御部１４は、内蔵バッテリー１２が異常状態であれば（ステップＳ３２０において“Ｙｅｓ”）、ステップＳ３４０へ進み、内蔵バッテリー１２が異常状態でなければ（ステップＳ３２０において“Ｎｏ”）、ステップＳ３５０へ進む。
【００６７】
ステップＳ３４０では、バッテリー制御部１４は、第１バッテリー、第２バッテリーのそれぞれについてバッテリーの状態を表示部１６に表示させる。つまり、バッテリー制御部１４は、第１バッテリーである外付けバッテリー１３の残量と、第２バッテリーである内蔵バッテリー１２に関する警告と、を表示部１６に表示させる。この場合、バッテリー制御部１４は、図４に例示したような外付けバッテリー１３のアイコン４０のうち、充電中の外付けバッテリー１３の残量に相当するいずれかのアイコン４０を表示部１６に表示させる。また、バッテリー制御部１４は、図４に例示したような内蔵バッテリー１２のアイコン３０のうち、温度異常等を意味するアイコン３０を表示部１６に表示させる。
【００６８】
ステップＳ３５０では、バッテリー制御部１４は、ステップＳ１５０と同様に、第１バッテリーについてバッテリーの状態を表示部１６に表示させる。つまり、バッテリー制御部１４は、第１バッテリーである外付けバッテリー１３の残量を表示部１６に表示させる。
【００６９】
ステップＳ３３０では、バッテリー制御部１４は、外付けバッテリー１３が異常状態であるか否かを判定する。バッテリー制御部１４は、外付けバッテリー１３が異常状態であれば（ステップＳ３３０において“Ｙｅｓ”）、ステップＳ３６０へ進み、外付けバッテリー１３が異常状態でなければ（ステップＳ３３０において“Ｎｏ”）、ステップＳ３７０へ進む。
【００７０】
ステップＳ３６０では、バッテリー制御部１４は、第１バッテリー、第２バッテリーのそれぞれについてバッテリーの状態を表示部１６に表示させる。つまり、バッテリー制御部１４は、第１バッテリーである内蔵バッテリー１２の残量と、第２バッテリーである外付けバッテリー１３に関する警告と、を表示部１６に表示させる。この場合、バッテリー制御部１４は、図４に例示したような内蔵バッテリー１２のアイコン３０のうち、充電中の内蔵バッテリー１２の残量に相当するいずれかのアイコン３０を表示部１６に表示させる。また、バッテリー制御部１４は、図４に例示したような外付けバッテリー１３の温度異常等を意味するアイコン４０と認証不可を意味するアイコン４０とのうちいずれか一方を、外付けバッテリー１３を異常状態と判定した原因に従って、表示部１６に表示させる。
【００７１】
ステップＳ３７０では、バッテリー制御部１４は、ステップＳ１７０と同様に、第１バッテリーについてバッテリーの状態を表示部１６に表示させる。つまり、バッテリー制御部１４は、第１バッテリーである内蔵バッテリー１２の残量を表示部１６に表示させる。ステップＳ３４０，Ｓ３５０，Ｓ３６０，Ｓ３７０それぞれの後は、バッテリー制御部１４は、ステップＳ３００の判定を再び行う。
【００７２】
図１０は、バッテリー制御部１４がバッテリー駆動モードにおいて実行する第２実施形態のバッテリー状態表示処理を、フローチャートにより示している。
ステップＳ４００では、バッテリー制御部１４は、ステップＳ２００と同様に、外付けバッテリー１３の有無を判定する。バッテリー制御部１４は、外付けバッテリー１３有りと判定した場合は（ステップＳ４００において“Ｙｅｓ”）、ステップＳ４１０へ進み、外付けバッテリー１３無しと判定した場合は（ステップＳ４００において“Ｎｏ”）、ステップＳ４７０へ進む。
【００７３】
ステップＳ４１０では、バッテリー制御部１４は、給電元優先ポリシーに従って現在の給電元として選択しているバッテリーが、外付けバッテリー１３であるか否かを判定する。バッテリー制御部１４は、外付けバッテリー１３を給電元としていれば、ステップＳ４１０の“Ｙｅｓ”の判定からステップＳ４２０へ進み、一方、内蔵バッテリー１２を給電元としていれば、ステップＳ４１０の“Ｎｏ”の判定からステップＳ４３０へ進む。
【００７４】
ステップＳ４２０では、バッテリー制御部１４は、ステップＳ３２０と同様に、内蔵バッテリー１２が異常状態であるか否かを判定する。バッテリー制御部１４は、内蔵バッテリー１２が異常状態であれば（ステップＳ４２０において“Ｙｅｓ”）、ステップＳ４４０へ進み、内蔵バッテリー１２が異常状態でなければ（ステップＳ４２０において“Ｎｏ”）、ステップＳ４５０へ進む。
【００７５】
ステップＳ４４０では、バッテリー制御部１４は、第１バッテリー、第２バッテリーのそれぞれについてバッテリーの状態を表示部１６に表示させる。つまり、バッテリー制御部１４は、第１バッテリーである外付けバッテリー１３の残量と、第２バッテリーである内蔵バッテリー１２に関する警告と、を表示部１６に表示させる。この場合、バッテリー制御部１４は、図４に例示したような外付けバッテリー１３のアイコン４０のうち、充電中でない外付けバッテリー１３の残量に相当するいずれかのアイコン４０を表示部１６に表示させる。また、バッテリー制御部１４は、図４に例示したような内蔵バッテリー１２のアイコン３０のうち、温度異常等を意味するアイコン３０を表示部１６に表示させる。
【００７６】
ステップＳ４５０では、バッテリー制御部１４は、ステップＳ２５０と同様に、第１バッテリーについてバッテリーの状態を表示部１６に表示させる。つまり、バッテリー制御部１４は、第１バッテリーである外付けバッテリー１３の残量を表示部１６に表示させる。
【００７７】
ステップＳ４３０では、バッテリー制御部１４は、ステップＳ３３０と同様に、外付けバッテリー１３が異常状態であるか否かを判定する。バッテリー制御部１４は、外付けバッテリー１３が異常状態であれば（ステップＳ４３０において“Ｙｅｓ”）、ステップＳ４６０へ進み、外付けバッテリー１３が異常状態でなければ（ステップＳ４３０において“Ｎｏ”）、ステップＳ４７０へ進む。
【００７８】
ステップＳ４６０では、バッテリー制御部１４は、第１バッテリー、第２バッテリーのそれぞれについてバッテリーの状態を表示部１６に表示させる。つまり、バッテリー制御部１４は、第１バッテリーである内蔵バッテリー１２の残量と、第２バッテリーである外付けバッテリー１３に関する警告と、を表示部１６に表示させる。この場合、バッテリー制御部１４は、図４に例示したような内蔵バッテリー１２のアイコン３０のうち、充電中でない内蔵バッテリー１２の残量に相当するいずれかのアイコン３０を表示部１６に表示させる。また、バッテリー制御部１４は、図４に例示したような外付けバッテリー１３の温度異常等を意味するアイコン４０と認証不可を意味するアイコン４０とのうちいずれか一方を、外付けバッテリー１３を異常状態と判定した原因に従って、表示部１６に表示させる。
【００７９】
ステップＳ４７０では、バッテリー制御部１４は、ステップＳ２７０と同様に、第１バッテリーについてバッテリーの状態を表示部１６に表示させる。つまり、バッテリー制御部１４は、第１バッテリーである内蔵バッテリー１２の残量を表示部１６に表示させる。ステップＳ４４０，Ｓ４５０，Ｓ４６０，Ｓ４７０それぞれの後は、バッテリー制御部１４は、ステップＳ４００の判定を再び行う。
【００８０】
図１１は、バッテリー制御部１４が表示部１６に表示せるＵＩ画面２０の第５例を示している。第５例のＵＩ画面２０は、第２実施形態に対応した画面である。第２実施形態のバッテリー状態表示処理において、バッテリー制御部１４は、第１バッテリーの残量を表示させる状況、つまりステップＳ３５０，Ｓ３７０，Ｓ４５０，Ｓ４７０では、第１実施形態と同様に、一部領域２１に第１バッテリーの残量に相当するアイコンを表示させる。一方、第１バッテリーの残量および第２バッテリーの残量を表示させる状況、つまりステップＳ３４０，Ｓ３６０，Ｓ４４０，Ｓ４６０では、バッテリー制御部１４は、一部領域２１に第１バッテリーの残量と第２バッテリーに関する警告とを交互に表示させる、としてもよい。
【００８１】
具体例として、図１１は、ステップＳ４６０によって、内蔵バッテリー１２の残量に相当するアイコン３０と外付けバッテリー１３に関する警告のアイコン４０（認証不可を意味するアイコン４０）とが一部領域２１に交互に表示される様子を示している。ステップＳ３４０，Ｓ３６０，Ｓ４４０，Ｓ４６０においては、バッテリー制御部１４は、一部領域２１にアイコン３０とアイコン４０とを例えば５秒毎に切り替えて表示させる。むろん、第２実施形態においても、第１バッテリーの残量と第２バッテリーに関する警告とを第２〜４例のＵＩ画面２０（図６〜８）のようにアイコンやメッセージ等で表示することが可能である。
【００８２】
６．まとめ：
このように本実施形態によれば、電子機器１０は、複数のバッテリーの中から選択したバッテリーを充電可能であり、かつ、前記複数のバッテリーの中から選択したバッテリーを給電元として駆動可能である。そして、電子機器１０は、バッテリー制御部１４と、表示部１６と、を備える。バッテリー制御部１４は、前記複数のバッテリーのうち、前記充電の対象または前記給電元として選択している第１バッテリーに該当しない第２バッテリーの残量が、所定のしきい値以上である場合に、前記第１バッテリーの残量と前記第２バッテリーの残量とのうち前記第１バッテリーの残量を表示部１６に表示させ、前記第２バッテリーの残量が前記しきい値未満である場合に、前記第１バッテリーの残量と前記第２バッテリーの残量とを表示部１６に表示させる。
【００８３】
前記構成によれば、バッテリー制御部１４は、第２バッテリーの残量を表示部１６へ常に表示するのではなく、第２バッテリーの残量がしきい値未満である場合に、第１バッテリーの残量と第２バッテリーの残量とを表示部１６に表示する。従って、表示部１６に対するユーザーの視認性をできるだけ低下させず、かつ、第２バッテリーの残量がしきい値未満であるという必要性の高い情報は的確にユーザーに通知することができる。
【００８４】
また、本実施形態によれば、バッテリー制御部１４は、前記第２バッテリーの残量が前記しきい値未満である場合に、表示部１６の一部領域に前記第１バッテリーの残量と前記第２バッテリーの残量とを交互に表示させる、としてもよい。
前記構成によれば、バッテリー制御部１４は、表示部１６の前記一部領域以外の領域をバッテリー残量の表示に用いることなく、第１バッテリーの残量と第２バッテリーの残量とをユーザーに認識させることができる。
【００８５】
また、本実施形態によれば、バッテリー制御部１４は、前記第２バッテリーの残量が前記しきい値未満である場合に、表示部１６の一部領域に前記第１バッテリーの残量と前記第２バッテリーの残量とを一部が重なった状態で表示させる、としてもよい。
前記構成によれば、バッテリー制御部１４は、表示部１６の前記一部領域以外の領域をバッテリー残量の表示に用いることなく、第１バッテリーの残量と第２バッテリーの残量とを同時にユーザーに認識させることができる。
【００８６】
また、本実施形態によれば、バッテリー制御部１４は、前記第２バッテリーの残量が前記しきい値未満である場合に、表示部１６の一部領域である第１領域に前記第１バッテリーの残量を表示させ、かつ、表示部１６の前記第１領域とは異なる一部領域であって他の情報を表示するための第２領域に前記第２バッテリーの残量を表示させる、としてもよい。
前記構成によれば、バッテリー制御部１４は、表示部１６に含まれる情報量の増加を避けつつ、第１バッテリーの残量と第２バッテリーの残量とを同時にユーザーに認識させることができる。
【００８７】
また、本実施形態は、装置内に含んだ内蔵バッテリー１２と、前記装置に対して外付けされた外付けバッテリー１３とのうち選択したバッテリーを充電可能であり、かつ、内蔵バッテリー１２と外付けバッテリー１３とのうち選択したバッテリーを給電元として駆動可能である印刷装置であって、バッテリー制御部１４と、表示部１６と、を備え、バッテリー制御部１４は、内蔵バッテリー１２と外付けバッテリー１３とのうち、前記充電の対象または前記給電元として選択している第１バッテリーに該当しない第２バッテリーの残量が、所定のしきい値以上である場合に、前記第１バッテリーの残量と前記第２バッテリーの残量とのうち前記第１バッテリーの残量を表示部１６に表示させ、前記第２バッテリーの残量が前記しきい値未満である場合に、前記第１バッテリーの残量と前記第２バッテリーの残量とを表示部１６に表示させる構成を、開示する。
【００８８】
また、本実施形態によれば、バッテリー制御部１４は、前記複数のバッテリーのうち、前記充電の対象または前記給電元として選択している第１バッテリーに該当しない第２バッテリーが、所定の異常状態ではない場合は、前記第１バッテリーの残量を表示部１６に表示させ、前記第２バッテリーが前記異常状態である場合は、前記第１バッテリーの残量と、前記第２バッテリーに関する警告と、を表示部１６に表示させる。
前記構成によれば、バッテリー制御部１４は、第２バッテリーの状態を表示部１６へ常に表示するのではなく、第２バッテリーが異常状態である場合に、第１バッテリーの残量と第２バッテリーに関する警告とを表示部１６に表示する。従って、表示部１６に対するユーザーの視認性をできるだけ低下させず、かつ、第２バッテリーが異常状態であるという必要性の高い情報は的確にユーザーに通知することができる。
【００８９】
なお、バッテリーの残量は、満充電状態のバッテリー容量のうちどれだけの電力が消費されたかを間接的に示している。従って、バッテリーの残量を表示することは、バッテリーの消費量を表示することと同じである。
【符号の説明】
【００９０】
１０…電子機器（印刷装置）、１１…電源入力ポート、１２…内蔵バッテリー、１３…外付けバッテリー、１４…バッテリー制御部、１５…認証部、１６…表示部、１７…印刷処理部、１８…通信ＩＦ、２０…ＵＩ画面、２１…一部領域、２４…メニュー表示欄、２５…メッセージ、３０，４０…アイコン
【図１】
2020098124.tif 000003
【図２】
2020098124.tif 000004
【図３】
2020098124.tif 000005
【図４】
2020098124.tif 000006
【図５】
2020098124.tif 000007
【図６】
2020098124.tif 000008
【図７】
2020098124.tif 000009
【図８】
2020098124.tif 000010
【図９】
2020098124.tif 000011
【図１０】
2020098124.tif 000012
【図１１】
2020098124.tif 000013